(57)【要約】【課題】患者が自分用の医療品を簡便に確認することができる照合確認装置を提供することを目的とする。【解決手段】本発明にかかる照合確認装置は、患者自身により所持され、医療品が患者用の医療品であることを照合確認する携帯可能なバーコードリーダ１２であって、患者を識別する識別情報を記憶する記憶部３５と、医療品に貼付された識別情報を読み取り、当該識別情報を取得する読取部２１と、読取部２１から入力された識別情報と、記憶部３５に記憶された識別情報とを比較し、両者が一致するか否かを判定する演算処理部３６と、当該演算処理部３６による判定結果を出力する出力部３７とを備えたものである。【選択図】  図２
2005031723.tif 000002
【特許請求の範囲】
【請求項１】
患者自身により所持され、医療品が前記患者用の医療品であることを照合確認する携帯可能な照合確認装置であって、
前記患者を識別する識別情報を記憶する記憶手段と、
前記医療品に貼付された前記識別情報を読み取り、当該識別情報を取得する取得手段と、
前記取得手段から入力された前記識別情報と、前記記憶手段に記憶された前記識別情報とを比較し、両者が一致するか否かを判定する比較手段と、
当該比較手段による判定結果を出力する出力手段とを備えた照合確認装置。
【請求項２】
患者自身により所持され、医療品が前記患者用の医療品であることを照合確認する携帯可能な照合確認装置であって、
前記患者を識別する識別情報及び医療品情報を記憶する記憶手段と、
前記医療品に貼付された前記識別情報及び前記医療品情報を読み取り、当該識別情報及び前記医療品情報を取得する取得手段と、
前記取得手段から入力された前記識別情報及び前記医療品情報と、前記記憶手段に記憶された前記識別情報及び前記医療品情報とを比較する比較手段と、
当該比較手段による比較結果を出力する出力手段とを備えた照合確認装置。
【請求項３】
患者自身により所持され、医療品が前記患者用の医療品であることを照合確認する携帯可能な照合確認装置であって、
前記患者を識別する識別情報を記憶する記憶手段と、
前記医療品に貼付されたタグをスキャンし、当該タグが有する前記識別情報を読み取るとともに、履歴情報を前記タグに書き込む読取書込手段と、
前記読取書込手段から入力された前記識別情報と、前記記憶手段から読み込んだ前記識別情報とを比較し、両者が一致するか否かを判定する比較手段と、
当該比較手段による判定結果を出力する出力手段とを備えた照合確認装置。
【請求項４】
前記医療品が、前記履歴情報に応じて使用可能となることを特徴とする請求項３記載の照合確認装置。
【請求項５】
前記タグは、ＲＦＩＤタグであることを特徴とする請求項３又は４記載の照合確認装置。
【発明の詳細な説明】
【０００１】
【発明の属する技術分野】
本発明は、照合確認装置に関し、医療品を確認する照合確認装置に関する。
【０００２】
【従来の技術】
従来、病院では、患者を診察した医師は、その診察結果や患者に投与する薬剤の名称等を処方箋に記載し、患者に必要な検査や手術等を処置依頼書に記載している。看護婦や検査・手術担当医師は、その処方箋や処置依頼書に従って、薬剤を患者に投与したり、検査・手術等の処置を患者に施したりする。
【０００３】
近年、病院内で、各部門の端末をホストコンピュータと接続することにより、病院内の多彩な医療情報を活用する医療システムが開発されている。このシステムを利用することにより、従来では紙面の処方箋や処置依頼書に記載していた内容を医師が端末から入力し、ホストコンピュータで管理することが可能となる。
【０００４】
一方、近年において、投薬間違い、手術や検査時の患者の取り間違い等の医療ミスが多発している。そこで、上記医療システムを利用して、これらの医療ミスを防止するために患者と薬剤や処置とを照合し、薬剤や処置がその患者に対するものかを確認する方法が提案されている。
【０００５】
例えば、患者が装着するリストバンドに、各患者を識別する識別ＩＤをバーコードの形態で印字し、それとともに、薬剤等の医療品や処置の基礎となる処置依頼書等の書類に、患者の識別ＩＤと照合可能な照合情報をバーコードの形態で印字する。看護婦や検査・手術担当医師は、患者に対して薬剤を投与したり処置を施したりするとき、これらの識別ＩＤと照合情報とをバーコードリーダで読み取り、バーコードリーダからホストコンピュータに送信する。ホストコンピュータは、受信した識別ＩＤと照合情報とを照合し、その照合結果をバーコードリーダに返信する。看護婦や検査・手術担当医師は、バーコードリーダがホストコンピュータからの照合結果を受信することにより、薬剤・処置がその患者に対するものであるか否かを確認する。
【０００６】
しかしながら、上記確認システムでは、看護婦や検査・手術担当医師がバーコードリーダで読み取った識別ＩＤと照合情報が、ホストコンピュータに送信されて照合するものであるため、新たにシステムを構築するとなると、多大な投資を必要とする。さらに、識別ＩＤと照合情報とを読み取るバーコードリーダを扱う者が看護婦や検査・手術担当医師であるため、患者は、自身で直接確かめることができず、薬剤の投与や処置を納得して受けることができない。
【０００７】
【発明が解決しようとする課題】
このように、従来の確認システムでは、ホストコンピュータを介して、医療品や処置がその患者用のものか否かを確認するため、簡便に確認することができないという問題点があった。
本発明は、このような問題点を解決するためになされたもので、患者が自分用の医療品を簡便に確認することができる照合確認装置を提供することを目的とする。
【０００８】
【課題を解決するための手段】
本発明にかかる照合確認装置は、患者自身により所持され、医療品が前記患者用の医療品であることを照合確認する携帯可能な照合確認装置（例えば、発明の実施の形態１におけるバーコードリーダ１２）であって、前記患者を識別する識別情報を記憶する記憶手段（例えば、発明の実施の形態１における記憶部３５）と、前記医療品に貼付された前記識別情報を読み取り、当該識別情報を取得する取得手段（例えば、発明の実施の形態１において発光部３１、反射部３２、受光部３３、データ転送部３４から構成された読取部２１）と、前記取得手段から入力された前記識別情報と、前記記憶手段に記憶された前記識別情報とを比較し、両者が一致するか否かを判定する比較手段（例えば、発明の実施の形態１における演算処理部３６）と、当該比較手段による判定結果を出力する出力手段（例えば、発明の実施の形態１における出力部３７）とを備えたものである。このような構成により、患者は自分用の医療品を簡便に確認することができる。
【０００９】
他方、本発明にかかる照合確認装置は、患者自身により所持され、医療品が前記患者用の医療品であることを照合確認する携帯可能な照合確認装置（例えば、発明の実施の形態１におけるバーコードリーダ１２）であって、前記患者を識別する識別情報及び医療品情報を記憶する記憶手段（例えば、発明の実施の形態１における記憶部３５）と、前記医療品に貼付された前記識別情報及び前記医療品情報を読み取り、当該識別情報及び前記医療品情報を取得する取得手段（例えば、発明の実施の形態１において発光部３１、反射部３２、受光部３３、データ転送部３４から構成された読取部２１）と、前記取得手段から入力された前記識別情報及び前記医療品情報と、前記記憶手段に記憶された前記識別情報及び前記医療品情報とを比較する比較手段（例えば、発明の実施の形態１における演算処理部３６）と、当該比較手段による比較結果を出力する出力手段（例えば、発明の実施の形態１における出力部３７）とを備えたものである。このような構成により、患者は自分用の医療品を簡便に確認することができる。
【００１０】
また他方、本発明にかかる照合確認装置は、患者自身により所持され、医療品が前記患者用の医療品であることを照合確認する携帯可能な照合確認装置（例えば、発明の実施の形態３におけるリーダ／ライタ７０）であって、前記患者を識別する識別情報を記憶する記憶手段（例えば、発明の実施の形態３におけるメモリ７１）と、前記医療品に貼付されたタグをスキャンし、当該タグが有する前記識別情報を読み取るとともに、履歴情報を前記タグに書き込む読取書込手段（例えば、発明の実施の形態３におけるトランシーバ／レシーバ７３、アンテナコイル７４）と、前記読取書込手段から入力された前記識別情報と、前記記憶手段から読み込んだ前記識別情報とを比較し、両者が一致するか否かを判定する比較手段（例えば、発明の実施の形態３におけるトランシーバ／レシーバ７３、アンテナコイル７４）と、当該比較手段による当該判定結果を出力する出力手段（例えば、発明の実施の形態３におけるスピーカ７６）とを備えたものである。このような構成により、患者は自分用の医療品を簡便に確認することができる。
【００１１】
さらに、本発明にかかる照合確認装置では、前記医療品が、前記履歴情報に応じて使用可能となる。これにより、患者は自分用の医療品を確実に使用することができる。また、本発明にかかる照合確認装置では、前記タグをＲＦＩＤタグとすることができる。
【００１２】
【発明の実施の形態】
以下、本発明の実施の形態について図を参照して説明する。
発明の実施の形態１．
まず、図１を用いて、本発明にかかる照合確認システムについて説明する。図１は、本発明にかかる照合確認システムを示す構成図である。本発明にかかる照合確認システムは、患者自身が、点滴や医療用薬剤等の医薬品、注射器や点滴装置等の医療器具が自分用のものかを確認するシステムである。
【００１３】
図１に示すように、照合確認システムにおいて、患者１１はそれぞれ、自分専用のバーコードリーダ１２を所持している。このバーコードリーダ１２には、患者１１を識別する識別情報が登録されている。医療品１３は、医療用薬剤、注射器、カルテ等の医療に用いられ、患者１１ごとに区別する必要のあるものである。また、医療品１３には、バーコードリーダ１２の識別情報に対応するバーコードシール１４が貼付されている。このバーコードシール１４には、貼付された医療品１３がその患者１１用であることを示すバーコード１５が印刷されている。
また、病院のホストコンピュータ１６には名前や識別情報等の患者１１に関する患者データ１９が保管されており、ＬＡＮ等のネットワーク１７を介してホストコンピュータ１６と接続された端末コンピュータ１８からこの情報が利用される。
医療品１３に貼付されるバーコードシール１４は、端末コンピュータ１８からホストコンピュータ１６に格納された患者データ１９を用いて作成され、医師や看護婦等によって医療品１３に貼付される。そして、患者１１は、自分が所持するバーコードリーダ１２を用いて、このシールのバーコード１５をスキャンし、この医療品１３が自分用のものか否かを確認する。
【００１４】
続いて、図２を用いて、バーコードリーダ１２について説明する。図２（ａ）は、バーコードリーダ１２のハードウェア構成を示す斜視図である。図２（ａ）に示すように、バーコードリーダ１２は、読取部２１、読取窓２２、トリガーボタン２３を備える。読取部２１は、レーザ光を発射させるとともに、その反射光によりバーコード１５を読み取る部材である。読取窓２２は、読取部２１からのレーザ光を外部に開放する窓口である。トリガーボタン２３は、押されることによってバーコード１５を読み取るためのレーザ光を発射させるトリガーである。また、図示しないが、トリガーボタン２３が設けられた面の反対側の面には、電池収納部が設けられ、バーコードリーダ１２を駆動させる乾電池を収納することができる。電池収納部は、乾電池を収納した状態において、当該乾電池をカバーする電池カバーを有する。
【００１５】
図２（ｂ）は、バーコードリーダ１２の一構成例を示すブロック図である。図２（ｂ）に示すように、バーコードリーダ１２は、発光部３１、反射部３２、受光部３３、データ転送部３４、記憶部３５、演算処理部３６、出力部３７、入力部３８を備える。
【００１６】
発光部３１は、レーザ光線の光源から構成される。反射部３２は、発光部３１から照射されたレーザ光線を、振動する反射板を用いてバーコード１５に沿ってスキャンする。受光部３３は、反射部３２によりスキャンされたレーザ光線によるバーコード１５からの反射光を受光し、この反射光を電気信号に変換する。データ転送部３４は、受光部３３から出力された電気信号を所定の変換により変換し、反射光の明暗の明部と暗部との時間幅を示す受光データとして転送する。この受光データは、バーコード１５が有する情報（バーコード情報）を示すデータである。
【００１７】
記憶部３５は、バーコードリーダ１２の各部を制御するためのプログラムを記憶するとともに、患者１１の識別情報を示す識別データを記憶している。また、患者１１それぞれがバーコードリーダ１２を所持するため、この識別データは、バーコードリーダ１２にとって固有のデータとなっている。
演算処理部３６は、記憶部３５に記憶された所定のプログラムに従って、バーコードリーダ１２の各部を制御する。それとともに、記憶部３５に記憶された識別データを読み込み、この識別データとデータ転送部３４から入力された受光データとを比較し、これらのデータが一致するか否かを判定する。
【００１８】
出力部３７は、小型スピーカー等から構成され、演算処理部３６による判定結果を音声として出力する。入力部３８は、トリガーボタン２３等から構成され、データ入力を行うためのバーコード読み取り開始のトリガーとなる。
【００１９】
また、図２（ｂ）に示すバーコード１５は、患者１１の識別情報に対応するバーコード情報を有し、患者１１の識別データをバーコード化したものである。すなわち、バーコード１５は、バーコードリーダ１２の記憶部３５に格納された識別データをバーコード情報として有している。
【００２０】
次に、照合確認システムにおける各フローについて詳細に説明する。
まず、図３を用いて、本発明にかかる照合確認システムにおいて、バーコードリーダ１２に患者１１の識別データを登録するフローについて説明する。図３は、識別データの登録を示すフローチャートである。ここで、実際の動作を示す図４を参照しつつ説明する。
また、この登録は、例えば、識別データを示すバーコード１５が患者１１の名前や写真等と同時に印刷された診察券のバーコード１５をスキャンすることにより行われる。
【００２１】
バーコードリーダ１２に患者１１の識別データを登録する際、この識別データの登録命令を示す設定用バーコード１５０を読み取る。この設定用バーコード１５０の読み取りが図４（ａ）に示されている。図３に示すように、まず、入力部３８としてのトリガーボタン２３を押す（Ｓ１１１）と、演算処理部３６の制御の下に、発光部３１からレーザ光線の照射が開始される（Ｓ１１２）。それとともに、反射部３２がレーザ光線を走査し、受光部３３が設定用バーコード１５０からの反射光を受光する（Ｓ１１３）。
【００２２】
データ転送部３４は、受光部３３から反射光の明暗に対応する電気信号を出力すると、反射光の明部と暗部の時間幅としての設定用受光データの転送を開始する（Ｓ１１４）。そして、データ転送部３４は、この設定用受光データを演算処理部３６に対して出力する。設定用受光データを入力された演算処理部３６は、この設定用受光データに従って、患者１１の識別データを登録する登録処理を開始する（Ｓ１１５）。この設定用受光データに従った登録処理は、設定用受光データの次に入力された受光データを識別データとして記憶部３５に記憶させる処理である。
【００２３】
識別データを登録するために、上記Ｓ１１１〜Ｓ１１４と同様に、バーコードリーダ１２により患者１１の識別データを有するバーコード１５１を読み取る（Ｓ１１６）。このバーコード１５１の読み取りが図４（ｂ）に示されている。これによりデータ転送部３４が取得する受光データは、設定用受光データの次に取得した受光データであるため、データ転送部３４から受光データを入力された演算処理部３６は、この受光データを識別データとして記憶部３５に書き込み、バーコードリーダ１２に識別データが登録される（Ｓ１１７）。
【００２４】
続いて、図５を用いて、本発明にかかる照合確認システムにおいて、患者１１がバーコードリーダ１２を用いて、バーコードシール１４が貼付された医療品１３が自分用のものか否かを照合確認するフローについて詳細に説明する。図５は、バーコードリーダ１２を使って行う照合確認を示すフローチャートである。
図５に示すように、バーコードリーダ１２によりバーコード１５を読み取るために、入力部３８としてのトリガーボタン２３を押す（Ｓ１２１）と、演算処理部３６の制御の下に、発光部３１からレーザ光線の照射が開始される（Ｓ１２２）。それともない、反射部３２がレーザ光線を走査し、受光部３３がバーコード１５からの反射光を受光する（Ｓ１２３）。そして、受光部３３から反射光の明暗に対応する電気信号がデータ転送部３４に出力されると、データ転送部３４は、反射光の明部と暗部の時間幅としての受光データの転送を開始する（Ｓ１２４）。
【００２５】
そして、データ転送部３４は、この受光データを演算処理部３６に対して出力する。受光データを入力された演算処理部３６は、記憶部３５に記憶された患者１１の識別データを読み込み、この識別データと受光データとを比較し、これらのデータを照合する。
【００２６】
Ｓ１２５において、演算処理部３６による照合結果が識別データと受光データとの一致を示す場合には、演算処理部３６は、この一致を示す電気信号を出力部３７に入力する。出力部３７は、これに応じて、例えば「ピコッ！」という単発的音声を出力する（Ｓ１２６）。また、Ｓ１２５において、照合結果が不一致を示す場合には、この不一致を示す電気信号が演算処理部３６から出力部３７に入力され、これに応じて出力部３７は、例えば「ピー、ピー、・・・」という連続的音声を出力し続ける（Ｓ１２７）。
【００２７】
識別データと受光データが不一致の場合に出力し続ける連続的音声は、トリガーボタン２３を押し続けることにより停止する。すなわち、出力部３７から音声が出力されている状態で、入力部３８としてのトリガーボタン２３を押し続けると（Ｓ１２８）、入力部３８から音声の停止を示す電気信号が演算処理部３６に入力される。この入力された電気信号に応じて演算処理部３６は、音声停止を示す信号を出力し、出力部３７は音声を出力するのを停止する（Ｓ１２９）。
【００２８】
さらに続いて、図６を用いて、本発明にかかる照合確認システムにおいて、患者１１の識別データに対応するバーコードシール１４を作成するフローについて詳細に説明する。図６は、バーコードシール１４の作成を示すフローチャートである。
図６に示すように、バーコードシール１４を作成する際、患者１１の識別データを管理するアプリケーションを起動する（Ｓ１４１）。すると、図７に示すような画面が表示される。図７は、このアプリケーションの表示画面の一例を示す模式図である。図７に示すように、このアプリケーションを扱う画面５１は、その上下で、患者１１の登録を行う登録画面５２とバーコードシール１４の印刷が行われる印刷画面５３とに区分けされている。
【００２９】
図７のＳ１４２に示すように、患者１１のバーコードシール１４を印刷するにあたって、まず登録画面５２において患者データ１９が登録される。具体的には、図８において、名前欄５２１に登録する患者の名前を記入し、登録アイコン５２２をクリックすることにより、患者１１の患者データ１９を登録する。この登録された患者データ１９が、表示窓５２４に表示されている。また、番号欄５２３に、登録された患者１１のＩＤ番号（識別情報）を記入し、この番号を元にバーコード画像を生成することもできる。なお、登録された患者１１を削除する場合には、表示窓５２４から削除する患者１１を選択してクリックし、削除アイコン５２５をクリックする。
【００３０】
図７のＳ１４３において、患者１１のデータを登録した後、印刷画面５３においてバーコードシール１４を印刷する患者１１を選択する。すなわち、左側の選択窓５３１に表示された患者１１一覧の中からバーコードシール１４を印刷する患者１１を選択しクリックする。すると、選択された患者１１の名前とバーコード番号が右側の表示窓５３２に表示される。また、選択されて表示窓５３２に表示された患者１１を削除する場合には、その患者１１を再度左側の選択窓５３１で選択してクリックする。
【００３１】
図７のＳ１４４において、この選択された患者１１のバーコードシール１４を印刷するのであるが、図８においては、印刷アイコン５３３をクリックすることにより、選択された患者１１のバーコードシール１４が印刷される。また、印刷タイプ窓５３４でこの印刷のタイプを設定したり、紙指定窓５３５で紙を指定したりすることができる。
例えば、図８に示すように「一枚一人」を選択した場合には、１枚の用紙に選択したバーコードシール１４が印刷され、複数の患者１１を選択するとバーコードシール１４が連続して印刷される。これに対して、「一枚複数人」を選択した場合には、１枚の用紙に数人のバーコードシール１４が印刷される。この場合、一枚に指定できる人の範囲は用紙の指定により変化し、例えば、６０シートの場合は６０人まで指定できる。「紙の指定」では、一枚あたりに印刷するバーコードの数が指定され、図８に示すように「６０シート」を選択した場合、バーコードの数は６０個となる
なお、バーコードシール１４の印刷後、アプリケーションを終了するときは、画面５１の右上にある終了アイコン５３６を選択してクリックする。
【００３２】
以上のように、上記照合確認システムにおいては、患者１１は、バーコードリーダ１２を用いて、医療品１３が自分用のものか否かを簡便に確認することができる。これにより、患者１１は、バーコードリーダ１２を用いて医療品１３を確認し、薬剤投与や医療処置を安心して受けることができる。また、患者１１のみならず、医師や看護婦等の医療サービス提供者も医療品１３がその患者１１用のものか否かを簡便に確認することができる。これにより、医療ミスの発生を減らすことができる。
【００３３】
さらに、バーコードリーダ１２に登録された識別データがその患者１１固有の識別情報であるため、医療品１３がその患者１１用のものか否かを確実に確認することができる。これにより、患者１１は確認結果をより信頼して医療サービスを受けることができ、また医療サービス提供者側も過誤なく医療サービスを提供することができる。
【００３４】
発明の実施の形態２．
発明の実施の形態２においては、バーコードの他の構成例について説明する。図８は、バーコードの他の構成例を示す模式図である。
発明の実施の形態２におけるバーコードは、上記バーコード１５が示す患者１１の識別情報に、薬剤の成分、製品名、注射器のサイズ等の医療品１３に関する医療品情報を付加したバーコードである。それに応じて、バーコードリーダ１２には、患者１１の識別情報１５に加えて、患者１１に対して投与又は供給されうる医療品１３の医療品情報が登録されている。
【００３５】
図８（ａ）に示すバーコード１５１は、バーコード１５１１をバーコード１５の横に連続して一列に繋げられている。このように一列に患者１１の識別情報と医療品１３の医療品情報とを繋げたバーコード１５１を用いることにより、患者１１は、バーコードリーダ１２によって一度でバーコード１５１を簡便に読み取ることができる。
【００３６】
図８（ｂ）に示すバーコード１５２は、バーコード１５１と同様に、バーコード１５が示す患者１１の識別情報に、医療品情報をバーコード化したバーコード１５１１を加えたものである。図８（ａ）に示すように、バーコード１５２は、バーコード１５１１をバーコード１５の縦に二列に並べられている。このように二列に患者１１の識別情報と医療品１３の医療品情報とを並べたバーコード１５１を用いることにより、患者１１の識別情報と医療品１３の医療品情報とを区別することができる。そのため、患者１１は、患者１１の識別情報又は医療品１３の医療品情報を単独で、バーコードリーダ１２によって確実に読み取ることができる。
【００３７】
以上のように、バーコード１５１、１５２のように、患者１１の識別情報以外の情報をバーコード１５に付加することにより、より詳細な医療処置を安全に提供することが可能となる。
【００３８】
発明の実施の形態３．
発明の実施の形態３においては、バーコードシールの他の構成例について説明する。本実施の形態は、バーコード１５に替えてＲＦＩＤタグを、バーコードリーダ１２に替えてそのリーダ／ライタを用いる場合である。
図９を用いて、発明の実施の形態３におけるＲＦＩＤタグを用いた照合確認システムについて説明する。図９は、ＲＦＩＤシステムを用いた確認システムを示す構成図である。
【００３９】
図９に示すように、リーダ／ライタ７０は、医療品１３に貼付されたＲＦＩＤタグ８０との間で通信を行い、ＲＦＩＤタグ８０に記憶されたデータを読み込んだり、ＲＦＩＤタグ８０にデータを書き込んだりするものである。このリーダ／ライタ７０は、メモリ７１、コントローラ７２、トランシーバ／レシーバ７３、アンテナコイル７４、電源７５を備えている。
メモリ７１は、リーダ／ライタ７０の各部を制御するためのプログラムを記憶するとともに、患者１１の識別データを記憶する。コントローラ７２は、ＡＳＩＣなどのマイコンにより構成され、変調用の波形を生成する。さらに、コントローラ７２は、メモリ７１に記憶された識別データを読み込み、この識別データとＲＦＩＤタグ８０から読み取ったデータとを比較し、これらのデータが一致するか否かを判定する。
トランシーバ／レシーバ７３は、変調器及び復調器等により構成され、変調用の波形に基づいてキャリアを変調して送信信号を生成し、アンテナコイル７４を介して信号を出力する。電源７５は、乾電池、充電地等の携帯用電源から構成され、リーダ／ライタ７０の各部に電力を供給して駆動させる。リーダ／ライタ７０は、この電源７５によって駆動し、コードレスの状態で患者１１に所持されている。スピーカ７６は、上記バーコードリーダ１２の出力部３７と同様に、コントローラ７２による判定結果を音声として出力する。
【００４０】
医療品１３に貼付されたＲＦＩＤタグ８０は、アンテナコイル８１、電源生成部８２、メモリ８３、コントロール回路８４を備えている。さらに、電源生成部８２、メモリ８３、コントロール回路８４を同じチップ上に形成することも可能である。
アンテナコイル８１は、半導体チップ上に形成された渦巻状の導体層により形成されている。このアンテナコイル８１は、半導体ウェハにリソグラフィー処理及び、蒸着、スパッタ、めっき処理等を施すことにより形成することができる。アンテナコイル８１は、従来の製造方法と同様の方法により形成することができるため、詳細については説明を省略する。
電源生成部８２は、アンテナコイル８１に接続されたＡＣ／ＤＣコンバータ等から構成される。メモリ８３は、データを保存するＲＯＭ、ＲＡＭ、ＥＥＰＲＯＭ及び／又はＦＲＡＭ等から構成される。このメモリ８３には、上記患者１１の識別データのみならず、リーダ／ライタ７０によってデータが読み込まれた履歴情報等に基づくデータが記憶される。コントロール回路８４は、ＣＰＵ等により構成される。なお、ＲＦＩＤタグ８０には所定の情報が記憶され、この情報の書き換えが行われるデータキャリアを含むものとする。
【００４１】
リーダ／ライタ７０によりＲＦＩＤタグ８０のデータを読み出す時、ＲＦＩＤタグ８０からリーダ／ライタ７０へ信号が送信される。この場合、メモリ８３に記憶されている情報が、コントロール回路８４によって変調される。変調された信号は、アンテナコイル８１を介してリーダ／ライタ７０に送信される。リーダ／ライタ７０はアンテナコイル７４により信号を受信し、その信号はトランシーバ／レシーバ７３により復調される。コントローラ７２は、復調された信号に基づいてデータを認識する。コントローラ７２は、このデータとメモリ７１の識別データとを比較するために識別データをメモリ７１から読み込み、これらのデータが一致するか否かを判定する。そして、スピーカ７６は、コントローラ７２による判定結果が一致の場合に「ピコッ！」、不一致の場合に「ピー、ピー、・・・」というように、コントローラ７２による判定結果を音声出力し、「ピコッ！」と音声が出力されたときに、この医療品１３が使用される。
【００４２】
コントローラ７２による判定結果が一致の場合には、リーダ／ライタ７０は、ＲＦＩＤタグ８０にデータを読み出したことを示す履歴データを書き込む。例えば、次にリーダ／ライタ７０を用いて、その医療品１３のＲＦＩＤタグ８０のデータを読み出すとき、ＲＦＩＤタグ８０に履歴データが書き込まれている場合に、リーダ／ライタ７０は「ピー、ピッ、ピー、ピッ、・・・」等の音声を出力する。これにより、医療品１３が使用済みか否かを判断することができる。
リーダ／ライタ７０からＲＦＩＤタグ８０へデータを書き込む場合、リーダ／ライタ７０によりＲＦＩＤタグ８０に対して書き込みコマンドが、アンテナコイル７４から信号として出力される。この出力された信号は、アンテナコイル８１により受信される。アンテナコイル８１は、電源生成部８２に接続されている。電源生成部８２は、受信された信号を整流して、この電流をメモリ８３、コントロール回路８４に供給する。これにより、メモリ８３及びコントロール回路８４を駆動するための電源が供給される。そして、コントロール回路８４は、アンテナコイル８１により受信された信号を復調してメモリ８３に記憶させる。
【００４３】
以上のように、本実施の形態では、ＲＦＩＤタグ８０を用いるため、リーダ／ライタ７０によってＲＦＩＤタグ８０から情報を読み出すのみならず、リーダ／ライタ７０を用いてＲＦＩＤタグ８０に情報を書き込むことが可能となる。これにより、例えば、上記実施の形態と同様に医療品１３の照合確認を行うことに加えて、照合確認した際にＲＦＩＤタグ８０の情報を読み取ったという確認情報をＲＦＩＤタグ８０に記憶させ、確認履歴をＲＦＩＤタグ８０に記憶させることができる。
【００４４】
さらに、ＲＦＩＤタグ８０を用いる場合、照合履歴に応じて医療品１３の使用を制限することができる。すなわち、一度しか使用できないような注射器のような場合に、一度使用するとその使用履歴が注射器に貼付されたＲＦＩＤタグ８０に記録され、これに応じて注射器を使用できなくなるようにすることができる。これにより、患者１１は、医療サービスをより一層安心して受けることができ、またサービス提供者側は医療サービスをより一層安全に提供することができる。
【００４５】
また、ＲＦＩＤタグ８０を用いる場合、ＲＦＩＤタグ８０に記録される情報は、患者１１の識別情報、医療品１３の照合履歴情報等だけに限らず、用途に応じて種々の情報をリーダ／ライタ７０を用いてＲＦＩＤタグ８０に記憶させることができる。例えば、患者１１に投与する薬剤や処置が変わったときに、その新たな薬剤や処置に関する情報を記憶させることができる。これにより、バーコード１５を貼りかえる手間を省くことができ、医療品１３に貼付されたＲＦＩＤタグ８０を簡便に変えることができる。またさらに、リーダ／ライタ７０を回収した後、ＲＦＩＤタグ８０内の情報を書き換えることにより、ＲＦＩＤタグ８０を効率良く使い回しすることができる。
【００４６】
【発明の効果】
本発明によれば、患者が自分用の医療品を簡便に確認することができる照合確認装置を提供することができる。
【図面の簡単な説明】
【図１】本発明の実施の形態における照合確認システムの一例を示す構成図である。
【図２】本発明の実施の形態におけるバーコードリーダの一例を示す斜視図である。
【図３】本発明の実施の形態におけるバーコードリーダへの登録を示すフローチャートである。
【図４】本発明の実施の形態におけるバーコードリーダへの登録を示す模式図である。
【図５】本発明の実施の形態におけるバーコードリーダによる照合確認を示すフローチャートである。
【図６】本発明の実施の形態におけるバーコードシールの作成を示すフローチャートである。
【図７】本発明の実施の形態におけるバーコードシールを作成する表示画面を示す模式図である。
【図８】本発明の実施の形態におけるバーコードシールの他の一例を示す模式図である。
【図９】本発明の実施の形態における照合確認システムの他の一例を示す概略図である。
【符号の説明】
１１  患者、１２  バーコードリーダ、１３  医療品、１４  バーコードシール、１５，１５１，１５２，１５１１  バーコード、１５０  設定用バーコード、１６  ホストコンピュータ、１７  ネットワーク、１８  端末コンピュータ、１９  患者データ
２１  読取部、２２  読取窓、２３  トリガーボタン、３１  発光部、３２  反射部、３３  受光部、３４  データ転送部、３５  記憶部、３６  演算処理部、３７  出力部、３８  入力部
７０  リーダ／ライタ、７１  メモリ、７２  コントローラ、７３  トランシーバ／レシーバ、７４  アンテナコイル、７５  電源、８０  ＲＦＩＤタグ、８１アンテナコイル、８２  電源生成部、８３  メモリ、８４  コントロール回路
【図１】
2005031723.tif 000003
【図２】
2005031723.tif 000004
【図３】
2005031723.tif 000005
【図４】
2005031723.tif 000006
【図５】
2005031723.tif 000007
【図６】
2005031723.tif 000008
【図７】
2005031723.tif 000009
【図８】
2005031723.tif 000010
【図９】
2005031723.tif 000011